(57)【要約】【課題】  着物を洋服のように場所をとらずに掛けることができる着物用ハンガーを低コストで実現する。【解決手段】  フック部分７（９）とフック部分から垂下されて水平方向に延設される一端が開放された一対の着物掛け腕部からなり、上記腕部はＵ字状に屈曲された内周側腕部１２、１４と同じくＵ字状に屈曲された外周側腕部２、４が屈曲部３、１３において同心となるように内周、外周に振り分けて平行に配されると共に、それぞれの全長が着物の見頃の中心から左右の袖端に至る裄の長さの２分の１より長くなるように設定する。【選択図】      図１
0003131686.tif 000002
【実用新案登録請求の範囲】
【請求項１】
フック部分とフック部分から垂下されて水平方向に延設される一端が開放された一対の着物掛け腕部からなり、上記腕部はＵ字状に屈曲された内周側腕部と同じくＵ字状に屈曲された外周側腕部が屈曲部において同心となるように内周、外周に振り分けて平行に配されると共に、それぞれの全長が着物の見頃の中心から左右の袖端に至る裄の長さの２分の１より長くなるように設定されたことを特徴とする着物用ハンガー。
【請求項２】
外周側腕部端からフック部を経由して内周側腕部に至るハンガーの全体を、一本の棒体を折り曲げることにより構成した請求項１記載の着物用ハンガー。
【考案の詳細な説明】
【技術分野】
【０００１】
この考案は着物を掛けるためのハンガーに関する。
【背景技術】
【０００２】
着物の収納にあたっては、洋服のようにハンガーに掛けて収納するという発想は古来存せず、折り畳んで箪笥や引き出し内に置くという収納法が一般的であった。
【０００３】
しかしながら、日常的に着物を着用している者ならともかくも、洋服の生活に慣れている現代人にとってこの折り畳み作業は面倒且つ難しく、着物が敬遠される原因になりかねなかった。
【０００４】
これに関して、洋服のように着物を掛けて収容する作用を有する着物用のハンガーに関する考案が提案されている。特許文献１には、水平方向に延びた棒状の腕部に、両袖を広げた状態の着物を掛けて収容する形式のハンガーが開示されている。
【０００５】
特許文献２には、平行に四本延びた腕部のそれぞれに、見頃の中心から後方に二つ折りした後、両袖部を前方に折り返すことによりＷ字状に折った着物を、それぞれの袖口及び襟口から挿通することにより掛ける形式のハンガーが開示されている。
【０００６】
特許文献３には、平行に二本延びた腕部のそれぞれに、見頃の中心から後方に二つ折りした着物を、それぞれの襟口から挿通した後、それぞれの腕部を二つに折り畳む形式のハンガーが開示されている。
【０００７】
【特許文献１】特開２００６−１１０１４１号公報
【特許文献２】実願昭６３−１４０２７号（実開平１−１１７２６８）のマイクロフィルム
【特許文献３】特開平０７−３９４５５号公報
【考案の開示】
【考案が解決しようとする課題】
【０００８】
しかしながら、引用文献１に開示されているハンガーの場合は、肩部のみ腕部に掛けて袖部は垂れ下がる洋服用の場合と異なり、左右の裄に相当する長さの腕部がそのまま水平方向に延びるので、ハンガーの横幅が極めて長くなり収納スペースを要するという問題があった。
【０００９】
一方、着物が裄方向に折り畳まれて掛けられる特許文献２に記載のハンガーの場合は横幅は短く納まるものの、裄方向にＷ字状に折った着物を、それぞれの袖口及び襟口を四本の腕部に同時に挿通する作業が難しいという問題があった。
【００１０】
また、特許文献３に記載のハンガーの場合は平行に二本延びた腕部の長さは、当初は裄分の長さがあるので、この比較的長い二本の腕部に着物をそれぞれの襟口から同時に挿通する作業の際の取り回しが悪いという問題があった。また、腕部に着物を掛けた状態で腕部を着物ごと折り畳むので、着物の生地が厚い場合は折り畳みにくく、着物を傷めかねなかった。
【課題を解決するための手段】
【００１１】
この考案は以上の従来技術の問題点を解消した着物用ハンガーを提供することを目的として創作されたものであり、フック部分とフック部分から垂下されて水平方向に延設される一端が開放された一対の着物掛け腕部からなり、上記腕部はＵ字状に屈曲された内周側腕部と同じくＵ字状に屈曲された外周側腕部が屈曲部において同心となるように内周、外周に振り分けて平行に配されると共に、それぞれの全長が着物の見頃の中心から左右の袖端に至る裄の長さの2 分の1 より長くなるように設定されたことを特徴とする。
【００１２】
また、ここでは第２考案として以上のハンガーにおいて、外周側腕部端からフック部を経由して内周側腕部に至るハンガーの全体を、一本の棒体を折り曲げることにより構成したハンガーも開示する。
【考案の効果】
【００１３】
以上の構成よりなるこの考案の着物用ハンガーによれば、Ｕ字状に屈曲された内周側腕部と同じくＵ字状に屈曲された外周側腕部が、屈曲部において同心となるように内周、外周に振り分けて水平方向に配されているので、見頃の中心から後方に二つ折りした着物（図２参照）の襟口の左右を上記の外周側腕部端及び内周側腕部端に振り分けて挿通し（図参３照）、徐々に奥に向かってたぐり寄せることにより、襟から左袖口箇所が外周側腕部に、襟から右袖口箇所が内周側腕部にかけてそれぞれ外挿されると共に、それぞれの腕部のＵ字状箇所においてＵターンして袖が見頃に折り返されてハンガーに掛けられることになる（図７参照）。
【００１４】
よって、着物を掛けるための腕部の長さは裄の長さ分必要なく、その半分の長さで済むので、ハンガーの横幅は既存の洋服用のハンガーと大差ないものとなり、収容場所の選択肢が広がった使い勝手のよいハンガーが実現される。
【００１５】
また、着物は最終的には袖が見頃に折り返されてハンガーに掛けられるが、腕部のＵ字状箇所においてＵターンして折り返されるので、腕部を折り畳むことにより強制的に折り返す場合と異なり屈曲角度が緩やかであり、着物に負担を与えることがない。よって、着物の生地が厚い場合でもなんなく折り返すことができ、ハンガーに掛ける作業が容易であり、生地を傷めるおそれもない。
【００１６】
一方、この考案のハンガーは可動部分を持たない構造で。しかも第２考案によれば外周側腕部端からフック部を経由して内周側腕部に至るハンガーの全体を、一本の棒体を折り曲げることにより構成することができるので、低コストで製作することが可能となる。よって、店頭においてこのハンガーを利用して着物を陳列し、購買者はハンガーごと着物を持ち帰って、自宅で着物の収容の用に供するような使い方も可能となる。のにそんしょく
【考案を実施するための最良の形態】
【００１７】
以下、この考案の具体的実施例を添付図面に基づいて説明する。図１はこの考案の着物用ハンガーＨの一例を示す図である。ここでは一本の金属性の棒体を折り曲げることによりハンガーを構成している。すなわち、外周側腕部１、４からフック部７、９を経由して内周側腕部１２、１４に至るハンガーの全体を、一本の棒体を折り曲げることにより構成する。具体的には次の工程により折り曲げる。
(1) 水平に延びる前方外周側腕部２を残して、外周側Ｕ字状部３において棒体を後方に折り返して後方外周側腕部４とする。
(2) さらに、屈曲部５において斜め上方に折り曲げることにより首部の後ろ側半面６を構成する。
(3) さらに、フック状に折り曲げることによりフック部の後ろ側半面７を構成する。
(4) 次に折り返し点８において、折り曲げ方向を逆に辿る。すなわち、先に構成したフック部の後ろ側半面７、首部の後ろ側半面６に沿って折り曲げることによりフック部の前側半面９、首部の前側半面１０を構成する。
(5) さらに屈曲部１１において、先に構成した後方外周側腕部４の内側にそれと間隔を開けて平行に折り曲げることにより後方内周側腕部１２とする。
(6) 次いで、内周側Ｕ字状部１３において棒体を前方に折り返すと同時に、先に構成した前方外周側腕部２の内側にそれと間隔を開けて平行に折り曲げることにより前方内周側腕部１４とする。
なお、以上の構成において各腕部の長さは着物の見頃の中心から左右の袖端に至る裄の長さの２分の１より長くなるように設定される。
【００１８】
なお、ハンガーを構成する以上の棒体はソフトな感触を有する外皮を構成するように塗装しても、あるいはビニールチューブなどを巻いてもよい。
【００１９】
図２〜図７は以上の構成よりなるハンガーへの着物の掛け方を示す図である。具体的には次の工程により着物を掛けることになる。
(1) 見頃Ｍ１、Ｍ２の中心から後方に二つ折りした着物Ｋの襟Ｓ１、Ｓ２の襟口Ｅ１、Ｅ２の左右をハンガーＨの前方外周側腕部２の開放端１及び後方外周側腕部１４の開放端１５に振り分けて挿通する。
(2) 徐々に奥に向かってたぐり寄せることにより、見頃Ｍ１、Ｍ２を先頭として襟から左袖Ｓ１箇所が前方外周側腕部２に、襟から右袖口Ｓ２箇所が前方内周側腕部１２にかけてそれぞれ外挿される。
(3) それぞれの腕部のＵ字状箇所３、１３において見頃Ｍ１、Ｍ２箇所がＵターンして袖が見頃に折り返されてハンガーに掛けられる。
【図面の簡単な説明】
【００２０】
【図１】この考案の着物用ハンガーの斜視図。
【図２】着物の折り曲げ方向を示す正面図。
【図３】着物をハンガーに掛ける作業の中途を示す正面図。
【図４】着物をハンガーに掛ける作業の中途を示す正面図。
【図５】着物をハンガーに掛ける作業の中途を示す平面図。
【図６】着物をハンガーに掛ける作業の中途を示す平面図。
【図７】着物を掛け終わった状態の正面図。
【符号の説明】
【００２１】
Ｈ      ハンガー
Ｋ      着物
２      前方外周側腕部
３      外周側Ｕ字状部
４      後方外周側腕部
７（９）フック部
１２    後方内周側腕部
１３    内周側Ｕ字状部
１４    前方内周側腕部
【図１】
0003131686.tif 000003
【図２】
0003131686.tif 000004
【図３】
0003131686.tif 000005
【図４】
0003131686.tif 000006
【図５】
0003131686.tif 000007
【図６】
0003131686.tif 000008
【図７】
0003131686.tif 000009
【手続補正書】
【提出日】平成19年3月1日(2007.3.1)
【手続補正１】
【補正対象書類名】明細書
【補正対象項目名】００１６
【補正方法】変更
【補正の内容】
【００１６】
一方、この考案のハンガーは可動部分を持たない構造で。しかも第２考案によれば外周側腕部端からフック部を経由して内周側腕部に至るハンガーの全体を、一本の棒体を折り曲げることにより構成することができるので、低コストで製作することが可能となる。よって、店頭においてこのハンガーを利用して着物を陳列し、購買者はハンガーごと着物を持ち帰って、自宅で着物の収容の用に供するような使い方も可能となる。